(57)【要約】【課題】  確実に体液を収容体内に流入させ、かつ、逆流を防止することができる体液処理用品と、これを含む着用物品とを提供する。【解決手段】  体液処理用品１の収容体１０は、第１および第２シート１２，１３がその周囲で接合され、袋状に形成されている。第１シート１２には、厚さ方向に貫通する開口部１１が形成されている。逆流防止手段２０は、第１シート１２の収容体１０内部側に位置する平板状の弁体３０と、弁体３０が収容体１０内部に脱落するのを防止するシート状の支持体４０と、第１シート１２と支持体４０との間に介在するスペーサ５０とを含む。弁体上面３１の周縁部が、開口部１１の収容体１０内部側の開口部周縁で形成された弁座部１４に水密に接触可能とされている。第１シート１２と支持体４０との間には、スペーサ開口５３によってスペースが形成され、弁体３０がスペーサ５０の厚さ方向に移動可能に支持される。【選択図】図３
2010246889.tif 000002
【特許請求の範囲】
【請求項１】
体液が流入する開口部を有するとともに、流入した体液を収容する収容体を含む体液処理用品において、
前記収容体内部に収容された体液が、前記開口部から前記収容体外部へと流出するのを抑制する逆流防止手段を含み、前記開口部は、前記収容体の一部を厚さ方向に貫通するとともに複数形成され、
前記逆流防止手段は、前記開口部に沿って形成された弁座部と、前記収容体内部から前記弁座部に対して水密に接触可能な弁体と、前記弁体が前記収容体内部に脱落するのを防止する支持体とを含み、前記弁座部と弁体との離間によって、前記体液が前記収容体内部へと流入可能であることを特徴とする前記体液処理用品。
【請求項２】
前記弁座部と支持体との間には、スペースを維持するスペーサを形成し、前記弁体は、前記スペース内を移動可能に支持される請求項１記載の体液処理用品。
【請求項３】
前記弁体は、平板状であり、前記開口部の開口面積よりも広い面積を有する請求項１または２記載の体液処理用品。
【請求項４】
前記弁座部は、弁座体によって形成され、前記弁座体には、厚さ方向に貫通する弁孔が形成され、
前記弁体は、前記弁孔の径よりも小さい小径部と、前記弁孔に水密に接触可能な接触部と、前記弁孔の径よりも大きい大径部とを含み、前記小径部と大径部との間に前記接触部が形成されるとともに、前記小径部が前記収容体外部側に位置し、前記大径部が前記収容体内部側に位置する請求項１または２記載の体液処理用品。
【請求項５】
前記弁体は、前記体液よりも比重が小さく設定される請求項１〜４のいずれかに記載の体液処理用品。
【請求項６】
前記逆流防止手段は、前記開口部の周縁に重なって形成された弁体と、前記弁体と前記収容体とを接合する接合部とを含み、前記接合部は、前記開口部から外側へと延びる複数の線状を有し、前記接合部の間には前記開口部から前記収容体内部へと体液が流入可能な通路が形成される請求項１記載の体液処理用品。
【請求項７】
前記逆流防止手段は、作用機構が異なる複数種類が形成される請求項１〜６のいずれかに記載の体液処理用品。
【請求項８】
縦方向および横方向と、身体側およびその反対側と、前記縦方向に連なる前ウエスト域、後ウエスト域および前記前後ウエスト域間に位置するクロッチ域とを有するシャーシを含む着用物品において、
少なくとも前記クロッチ域に位置する請求項１〜７のいずれかに記載の体液処理用品を含み、
前記体液処理用品の前記開口部が、前記身体側に開口することを特徴とする前記着用物品。
【発明の詳細な説明】
【技術分野】
【０００１】
この発明は、体液処理用品およびこれを含む着用物品に関し、さらに詳しくは体液処理用品を有する使い捨てのおむつ、排泄トレーニングパンツ、失禁ブリーフ等に関する。
【背景技術】
【０００２】
従来、おむつの表面シートから収容体内部へと排泄物が収容されるものとして、例えば、特許第４０５９３７４号公報（特許文献１）が公知である。特許文献１では、紙おむつは、表面シートと裏面シートと、これら表裏面シートの間に形成された吸収体とを含む。紙おむつの表面シートに多数の半開口を形成し、排泄された軟便等が半開口から吸収体側へと流入される。半開口を介して流入した軟便等は、吸収体によって吸収されるから、排泄物が表面シート上を流れておむつから漏れてしまうのを防止することができる。
【先行技術文献】
【特許文献】
【０００３】
【特許文献１】特許第４０５９３７４号公報（ＪＰ  ４０５９３７４  Ｂ２）
【発明の概要】
【発明が解決しようとする課題】
【０００４】
上記のような半開口は、表面シートの一部を切り欠かずに残したものであり、残した部分を基点にして半開口が開閉する。したがって、前記基点となる部分からは排泄物が流入されることがなく、基点となる部分の位置や範囲、着用者の排泄の場所、着用者の体勢によっては、排泄部が半開口から流入されずに、表面シート上に残ってしまう可能性がある。
また、半開口は、表面シートの一部を切り欠いたものであるので、その内側にも外側にも開閉可能であって、吸収体側から排泄物が逆流してきた際には、半開口は外側に開いてしまい、排泄物が表面シート上に流出する可能性がある。
【０００５】
この発明では、確実に体液を収容体内に流入させ、かつ、逆流を防止することができる体液処理用品と、これを含む着用物品とを提供することを課題とする。
【課題を解決するための手段】
【０００６】
この発明は第１の発明と第２の発明を含む。
第１の発明は、体液が流入する開口部を有するとともに、流入した体液を収容する収容体を含む体液処理用品の改良に関わる。
【０００７】
この第１の発明は、前記体液処理用品において、前記収容体内部に収容された体液が、前記開口部から前記収容体外部へと流出するのを抑制する逆流防止手段を含み、前記開口部は、前記収容体の一部を厚さ方向に貫通するとともに複数形成され、前記逆流防止手段は、前記開口部に沿って形成された弁座部と、前記収容体内部から前記弁座部に対して水密に接触可能な弁体と、前記弁体が前記収容体内部に脱落するのを防止する支持体とを含み、前記弁座部と弁体との離間によって、前記体液が前記収容体内部へと流入可能であることを特徴とする。
【０００８】
第１の発明の好ましい実施態様のひとつとして、前記弁座部と支持体との間には、スペースを維持するスペーサを形成し、前記弁体は、前記スペース内を移動可能に支持される。
【０００９】
好ましい他の実施態様のひとつとして、前記弁体は、平板状であり、前記開口部の開口面積よりも広い面積を有する。
【００１０】
好ましい他の実施態様のひとつとして、前記弁座部は、弁座体によって形成され、前記弁座体には、厚さ方向に貫通する弁孔が形成され、前記弁体は、前記弁孔の径よりも小さい小径部と、前記弁孔に水密に接触可能な接触部と、前記弁孔の径よりも大きい大径部とを含み、前記小径部と大径部との間に前記接触部が形成されるとともに、前記小径部が前記収容体外部側に位置し、前記大径部が前記収容体内部側に位置する。
【００１１】
好ましい他の実施態様のひとつとして、上記弁体は、前記体液よりも比重が小さく設定される。
【００１２】
好ましい他の実施態様のひとつとして、前記逆流防止手段は、前記開口部の周縁に重なって形成された弁体と、前記弁体と前記収容体とを接合する接合部とを含み、前記接合部は、前記開口部から外側へと延びる複数の線状を有し、前記接合部の間には前記開口部から前記収容体内部へと体液が流入可能な通路が形成される。
【００１３】
好ましい他の実施態様のひとつとして、前記逆流防止手段は、作用機構が異なる複数種類が形成される。
【００１４】
第２の発明は、縦方向および横方向と、身体側およびその反対側と、前記縦方向に連なる前ウエスト域、後ウエスト域および前記前後ウエスト域間に位置するクロッチ域とを有するシャーシを含む着用物品の改良に関わる。
【００１５】
この第２の発明は、前記着用物品において、少なくとも前記クロッチ域に位置する請求項１記載の体液処理用品を含み、前記体液処理用品の前記開口部が、前記身体側に開口することを特徴とする。
【発明の効果】
【００１６】
第１の発明の体液処理用品において、収容体の開口部に収容体外部から内部への体液の流入が可能であるとともに、収容体内部から外部への体液の逆流を防止する逆流防止手段を形成することとしたので、体液処理用品から体液が漏れるのを抑制することができる。体液処理用品として、水密に接触可能な弁体と弁座部とを含むこととし、この弁体を開口部に形成することとしたので、弁体と弁座部とが接触したときには、収容体内部からの体液の漏れを抑制することができる。
【００１７】
第２の発明の着用物品において、少なくともクロッチ域に体液処理用品を位置させ、収容体の開口部が、身体側に開口することとしたので、例えばおむつなどの着用物品を用いた場合には、排泄された尿を体液処理用品で保持することができる。したがって、着用物品からの尿等の漏れを抑制することができる。
【図面の簡単な説明】
【００１８】
【図１】実施例１の体液処理用品の平面図。
【図２】図１のＩＩ−ＩＩ線断面の概要図。
【図３】図１の斜視図の一部。
【図４】体液処理用品の説明図。
【図５】おむつの斜視図。
【図６】おむつの展開平面図。
【図７】図６のＶＩＩ−ＶＩＩ線断面の概要図。
【図８】実施例２の体液処理用品の平面図の一部。
【図９】図８のＩＸ−ＩＸ線断面図。
【図１０】実施例３の体液処理用品の平面図。
【図１１】図１０の斜視図の一部。
【図１２】図１１のＸＩＩ−ＸＩＩ線断面の概要図。
【図１３】体液処理用品の説明図。
【図１４】実施例４の体液処理用品の平面図の一部。
【発明を実施するための形態】
【実施例１】
【００１９】
図１〜４は、この発明の体液処理用品の一例を示したものであり、図１は、体液処理用品１の平面図、図２は図１のＩＩ−ＩＩ線断面の概要図、図３は体液処理用品１の部分斜視図、図４は体液処理用品１の説明図である。図１および３では、説明のため、その一部を破断している。図示したように、体液処理用品１は、縦方向Ｙおよび横方向Ｘを有し、複数の開口部１１を有する不透液性の収容体１０と、開口部１１に対応する位置に形成された逆流防止手段２０とを含む。
【００２０】
収容体１０は、身体側に位置する第１シート１２と、身体側とは反対側である着衣側に位置する第２シート１３とを含み、これら第１および第２シート１２，１３がその周囲で接合され、袋状に形成されている。第１シート１２には、厚さ方向に貫通するとともに、環状にくりぬかれた開口部１１が形成され、この開口部１１から体液である尿が流入するようにされている。隣接する開口部１１は、縦方向Ｙおよび横方向Ｘにおいて互いに重ならないように配置されている。第１および第２シート１２，１３としては、不透液性のシート、例えば、プラスチックフィルムと繊維不織布とのラミネート、極細繊維の比較的高密度を有するメルトブロー繊維不織布等の繊維不織布を用いることができる。
【００２１】
逆流防止手段２０は、開口部１１に対応するとともに、第１シート１２の収容体１０内部側に位置し尿等の体液よりも比重が小さい平板状の弁体３０と、弁体３０が収容体１０内部に脱落するのを防止するシート状の支持体４０と、第１シート１２と支持体４０との間に介在するスペーサ５０とを含む。
【００２２】
弁体３０は、例えば、収容体１０や支持体４０よりも高剛性で、かつ、耐水性を有する繊維パネル、発泡プラスチック、紙質材料からなる不透液性シートを用いることができ、第１シート１２側に位置する弁体上面３１と、第２シート１３側に位置する弁体下面３２とを有する。弁体３０は、複数の開口部１１に対応させて、複数形成されるとともに、開口部１１の開口面積よりもその面積が広く、弁体上面３１の周縁部が、開口部１１の収容体１０内部側の開口部周縁で形成された弁座部１４に水密に接触可能とされている。この実施形態において、開口部１１の直径を約６ｍｍ、弁体３０の直径を約１２．５ｍｍとしている。ただし、この寸法に限定されるものではなく、開口部１１の数や位置、体液処理用品１の大きさ等に応じて適宜変更可能である。
【００２３】
第１シート１２と支持体４０との間には、スペーサ５０が配置されている。スペーサ５０としては、例えば、繊維パネル、発泡プラスチック、紙質材料等、比較的保形性の高いものを用いることができる。スペーサ５０は、ほぼ楕円形を有し、複数形成された開口部１１のすべてを覆う面積を有し、長径方向を縦方向Ｙに一致させ、短径方向を横方向Ｘに一致させている。スペーサ５０は、第１シート１２側に位置するスペーサ上面５１と、第２シート１３側に位置するスペーサ下面５２とを含み、スペーサ上面５１が第１シート１２に当接され、スペーサ下面５２が支持体４０に当接され、それぞれ接着剤等の接合手段によって接合されている。スペーサ５０には、スペーサ上面５１からスペーサ下面５２へと貫通するスペーサ開口５３が開口部１１と対応させて形成され、スペーサ開口５３には、弁体３０がそれぞれ配置されている。支持体４０としては、例えば、透液性の繊維不織布を用いることができる。
【００２４】
第１シート１２と支持体４０との間には、スペーサ開口５３によってスペース１５が形成される。弁体３０は、このスペース１５においてスペーサ５０の厚さ方向に移動可能に支持される。すなわち、スペーサ開口５３の直径は、開口部１１の直径よりも大きく、さらに、弁体３０の直径よりも大きくされている。スペーサ５０の厚さ寸法は、弁体３０よりも大きくされている。具体的には、弁体３０の厚さは、約０．５ｍｍであり、スペーサ５０の厚さ寸法は、約２ｍｍである。
スペーサ下面５２には、支持体４０が接合されているので、弁体３０が収容体１０内部に脱落することがない。また、弁体３０は、スペーサ５０の周壁と、弁座部１４と、支持体４０とによって、その縦方向Ｙおよび横方向Ｘの移動が規制される。
【００２５】
このような体液処理用品１の開口部１１に、尿などの体液が排泄されると、体液の重量で弁体３０が支持体４０側に向かって押し下げられ、弁体下面３２が支持体４０に接触し支持される。弁座部１４と、弁体上面３１とが離間し、体液が弁体３０の周囲を通ってスペース１５へと流入する。さらに体液は、支持体４０を通過して、収容体１０の内部へと流入する。弁体３０は、その全周囲において弁座部１４と離間可能であり、その離間部分から体液を流入させることができる。したがって、速やかな体液の流入が可能であり、かつ、どの方向からも体液が流入可能であるので、体液が収容体１０に流入されずにその外側に残ってしまうのを防止することができる。収容体１０は、不透液性であり、袋状であるので、体液は、収容体１０内で保持される。
【００２６】
体液が収容体１０内に保持された状態から、図４に示すように、収容体１０がさかさまになったような場合では、体液が開口部１１に向かって移動し、弁体３０の弁体下面３２は、支持体４０を透過した体液に押圧されて、第１シート１２側に移動する。弁体３０は、弁体上面３１が弁座部１４に接触される。弁体３０は、体液に押圧されているから、弁座部１４との間で水密に接触可能であり、体液の収容体１０外部への流出を防止することができる。
また、弁体３０は、体液よりも比重が小さいので、体液に浮くことができる。収容体１０が図２に示した状態で、尿などの体液が収容体１０内に保持されている場合、弁体３０は体液に浮くので、体液が開口部１１から流出する前に、開口部１１が弁体３０で閉じられる。したがって、この場合でも体液が収容体１０外部へ流出するのを防止することができる。
【００２７】
弁体３０と第１シート１２との間に、わずかな体液が残存していたような場合には、体液の表面張力によって、弁体上面３１と第１シート１２の弁座部１４とがより水密に接触可能であって、収容体１０内部の体液が流出するのを防止する効果を向上させることができる。
開口部１１および逆流防止手段２０を複数形成することとしたので、何らかの理由でいずれかの弁体３０が厚さ方向に移動不能となったとしても、逆流防止手段２０の領域の全面的な機能不全を回避することができる。また、必要に応じて複数の開口部１１および逆流防止手段２０を広範囲に形成することも可能となり、確実に体液を収容体１０内部に収容することができる。
【００２８】
図５〜７は、上記のような体液処理用品１を含む着用物品の一例を示したものである。着用物品として、使い捨ておむつ２をその一例として説明する。
図５は、おむつ２の斜視図であり、図６は、図５の両側縁の接合を解いたときのおむつ２の平面図であり、図７は、図６のＶＩＩ−ＶＩＩ線断面図である。図５および６において、説明のためその一部を破断し、各弾性部材をその収縮力に抗して伸長させ、おむつ２を平面状に保った状態を示している。おむつ２はシャーシ６０と、吸液構造体７０とを含む。シャーシ６０は、縦方向Ｙに連なる前ウエスト域６１、後ウエスト域６２、これら前後ウエスト域６１，６２間に位置するクロッチ域６３を含むとともに、横方向Ｘの寸法を二等分する縦仮想中心線Ｐ−Ｐと、縦方向Ｙの寸法を二等分する横仮想中心線Ｑ−Ｑとを有している。
【００２９】
シャーシ６０は、身体側を形成するライナ６４と、その反対側である着衣側を形成するアウタ６５とを含み、縦方向Ｙに延びるシャーシ両側縁６６と、横方向Ｘに延びるシャーシ前後端縁６７，６８とを含む。シャーシ両側縁６６は、クロッチ域６３において縦仮想中心線Ｐ−Ｐに向かって湾曲されている。ライナ６４およびアウタ６５は液透過性の繊維不織布等、当技術分野の慣用素材を用いることができる。
シャーシ両側縁６６に沿って、少なくともクロッチ域６３においてレッグ弾性体８２が伸長状態で収縮可能に取り付けられている。レッグ弾性体８２は、ライナ６４とアウタ６５との間であって、少なくともいずれか一方に接合されている。
【００３０】
シャーシ前後端縁６７，６８に沿って、比較的幅広のウエスト弾性体８１が横方向Ｘに伸長状態で収縮可能に取り付けられている。ウエスト弾性体８１は、ライナ６４のさらに身体側に接合されている。ウエスト弾性体８１およびレッグ弾性体８２として、伸縮性の繊維不織布を用いることができる。ただし、伸縮性繊維不織布に限られるものではなく、この種の物品の公知の弾性体を用いることができる。図５に示したように、シャーシ両側縁６６は、前後ウエスト域６１，６２において互いに接合され、パンツ型のおむつ２が形成されている。
【００３１】
シャーシ６０には、少なくともクロッチ域６３において、ライナ６４およびアウタ６５を厚さ方向に貫通するシャーシ開口６９が形成されている。この実施形態では、シャーシ開口６９は、クロッチ域６３から前後ウエスト域６１，６２へと延びるほぼ楕円形に形成されている。これらライナ６４とアウタ６５との間には、シャーシ開口６９を塞ぐようにトップシート１７が配置されている。トップシート１７には、横仮想中心線Ｑ−Ｑよりもシャーシ前端縁６７側に、ほぼ楕円形のトップ開口１８が形成されている。トップ開口１８は、トップシート１７をその厚さ方向に貫通し、シャーシ開口６９の開口面積よりも小さい面積を有している。
【００３２】
アウタ６５の着衣側には、シャーシ開口６９を塞ぐように、すなわちトップシート１７と重なるように吸液構造体７０が形成されている。吸液構造体７０は、身体側およびその反対側である着衣側と、吸液性芯材７１と、この吸液性芯材７１を覆う被覆シート７２とを含み、横仮想中心線Ｑ−Ｑよりもシャーシ前端縁６７側であって、トップ開口１８と重なるように吸液開口７４が形成されている。吸液開口７４は、吸液性芯材７１をその厚さ方向に貫通している。吸液性芯材７１はフラッフパルプと高吸収性ポリマー粒子との混合物等、被覆シート７２は液拡散性のティッシュペーパ等、それぞれ当技術分野の慣用素材を用いることができる。
吸液構造体７０の着衣側には、体液処理用品１が取り付けられ、さらにその着衣側にはカバーシート７３が取り付けられている。カバーシート７３は、不透液性のフィルム等を用いることができる。また、カバーシート７３のさらに着衣側に、繊維不織布を配置して肌触りを向上させることもできる。
【００３３】
吸液構造体７０と、カバーシート７３との間に配置された体液処理用品１は、その第１シート１２が吸液構造体７０側に位置し、第２シート１３がカバーシート７３側に位置されている。体液処理用品１の開口部１１は、横仮想中心線Ｑ−Ｑよりもシャーシ前端縁６７側に位置され、吸液構造体７０の吸液開口７４およびトップ開口１８を介して、身体側に露出されている。開口部１１は、着用者の外性器に対応するように位置している。
【００３４】
上記のようなおむつ２では、着用者による排尿があった場合には、尿は開口部１１から体液処理用品１の収容体１０に収容される。体液処理用品１が図２の状態にあるときには、尿が弁体３０の周囲を通って収容体１０に収容され、着用者が横になったり、四つんばいになったりして図４の状態になったときには、弁体３０と第１シート１２の弁座部１４とが水密に接触して、収容体１０に収容された尿が着用者側に逆流するのを防止することができる。また、着用者が座ったりして体液処理用品１に体圧が作用した場合には、収容体１０に収容された尿の水位が収容体１０内で上昇するが、弁体３０は、尿などの体液よりも比重を小さくしているので尿に浮くことができ、その結果、尿が収容体１０から流出する前に弁体３０の弁体上面２１が第１シート１２の弁座部１４に接触する。したがって、この場合にも尿が身体側に逆流するのを防止することができる。体液処理用品１からの尿の逆流を防止することができるので、おむつ２からの尿漏れを抑制することができる。
【００３５】
たとえ、尿が体液処理用品１の開口部１１から外れて排泄されたり、収容体１０から漏れたりしても、開口部１１の周囲には吸液構造体７０が存在するので、漏れた尿を吸液構造体７０で吸収することができる。したがって、より一層おむつ１からの尿漏れを抑制することができる。また、弁体３０を保持するスペース１５は、スペーサ５０によって形成されるが、弁体をシート片状にすることによりスペーサ５０の厚さ方向の寸法を小さくすることができ、着用者に対する違和感を少なくすることができる。
【００３６】
この実施形態で、おむつ２の吸液構造体７０に吸液開口７４を形成し、吸液開口７４に体液処理用品１の開口部１１を露出させる構成としているが、体液処理用品１全体を吸液構造体７０の身体側に位置させるようにしてもよい。この場合には、シャーシ６０と吸液構造体７０との間に体液処理用品１を形成することができる。
【００３７】
シャーシ６０にはシャーシ開口６９を形成することとしているが、必ずしもシャーシ開口６９を形成しなくてもよい。この場合には、少なくとも体液処理用品１の開口部１１が位置する部分を液透過性にすることによって、シャーシ６０の着衣側に位置する体液処理用品１に尿などの体液を透過させることができる。また、シャーシ６０の身体側に体液処理用品１を形成するようにしてもよい。いずれにしても体液処理用品１の開口部１１を介して尿などの体液が収容体１０に収容されるようにできればよい。収容体１０として、不透液性のものを用いているが、必ずしも不透液性のものに限定されるものではない。開口部１１を介して流入した体液を収容することができるものであれば透液性のものであってもよいし、例えば吸液性芯材で体液を保持するような場合も含む。ただし、第１シート１２として透液性のシートを用いた場合であって、弁座部１４を第１シート１２の開口部周縁で構成する場合には、弁座部１４と弁体３０との水密な接触を可能とするために、少なくとも弁座部１４は不透液性であることが必要である。例えば、第１シート１２として透液性繊維不織布を用いた場合には、弁座部１４を不透液性のフィルムを貼ることによって形成することができ、また、疎水性繊維不織布に親水処理を施したものを第１シート１２として用いた場合には、弁座部１４に親水処理を施さないことによっても形成することができる。
【実施例２】
【００３８】
図８および９は、この発明の実施例２を示したものであり、図８は、体液処理用品１の部分平面図であって、説明のためにその一部を破断させたものであり、図９は、図８のＩＸ−ＩＸ線断面図である。この実施例２では、体液処理用品１は、開口部１１を第１シート１２に直接形成するのではなく、開口部１１を形成した保形部材９０を別途備えることを特徴とする。この特徴以外の他の構成要素については、実施例１と同様であり、同様の構成要素については、詳細な説明を省略する。
【００３９】
収容体１０を形成する第１シート１２には、保形部材９０を取り付けるための取付開口１６を形成している。取付開口１６の第２シート１３側には、開口部１１を形成した保形部材９０が、接着剤等の接合手段を介して接合されている。保形部材９０は、例えば、繊維パネル、発泡プラスチック、紙質材料等、比較的保形性の高いものを用いて形成することができ、第１シート１２よりも高い剛性を有する。保形部材９０は、第１シート１２側に位置する保形上面９１と、第２シート１３側に位置する保形下面９２とを含み、保形上面９１が第１シート１２の取付開口１６の周縁に接合され、保形下面９２がスペーサ５０のスペーサ上面５１に接合されている。
【００４０】
保形部材９０に開口部１１を形成し、これを第１シート１２に形成することによって、第１シート１２に直接開口部１１を形成した場合に比べて、開口部１１の形状を保持することができる。開口部１１がゆがんだりしてその形状が崩れてしまった場合には、弁体３０が弁座部１４に密着し難く、それらの間に隙間ができてしまう可能性がある。隙間ができると、そこから尿などの体液が漏れる可能性があるが、開口部１１の形状を保持することによって、弁体３０がより確実に水密に接触し、体液の漏れを防止することができる。この実施例で、弁座部１４は、保形部材９０の保形下面９１によって形成されている。
【００４１】
保形部材９０に開口部１１を形成し、これを第１シート１２に接合すればよいので、第１シート１２に直接開口部１１を形成する場合に比べて、その形成が容易になる。すなわち、保形部材９０は第１シート１２よりも狭い面積を有し、かつ、剛性が高いので、その扱いが容易であり、開口部１１の形成も容易にできる。また、保形部材９０とスペーサ５０とは別部材としているが、これらを同一の部材で形成するようにしてもよい。
保形部材９０は、第１シート１２の第２シート１３側、すなわち、収容体１０内部側に取り付けられているが、その反対側である収容体１０外部側に取り付けられていてもよい。このような体液処理用品１は、実施例１のようにおむつ２のような着用物品に使用することができる。
【実施例３】
【００４２】
図１０〜１３は、この発明の実施例３を示したものであり、図１０は体液処理用品１の全体平面図、図１１は図１０の部分斜視図、図１２は図１１のＸＩＩ−ＸＩＩ線断面の概要図、図１３は説明図である。図示したように、体液処理用品１は、不透液性の収容体１０と、収容体１０に形成された複数の開口部１１と、開口部１１に形成された逆流防止手段２０とを含む。この実施形態では、逆流防止手段２０の構成が実施例１と異なるものであって、その他の構成要素は実施例１と同様である。同様の構成要素については、その説明を省略する。
【００４３】
逆流防止手段２０は、弁座体２１と、弁体３０とを含む。弁座体２１は、開口部１１に沿って取り付けられ、弁座体２１の外周面２２で第１シート１２に接合されている。弁座体２１のほぼ中心には、それを厚さ方向に貫通する第１弁孔２３と第２弁孔２４とが形成されている。第１弁孔２３は、第２弁孔２４よりもその径が小さく、第２弁孔２４が第１弁孔よりも第２シート１３側に位置されている。第１弁孔２３と第２弁孔２４とはその径が異なるから、これらの間には、段差が形成され、この段差によって弁座部２５が形成される。また、第２弁孔２４は、収容体１０内部に向かって延びる周壁を形成し、この周壁がスペース１５を形成するスペーサ５０として機能する。
【００４４】
第２弁孔２４の第２シート１３側には、これを覆うように支持体４０が接着剤等の接合手段によって接合されている。支持体４０は透液性を有している。具体的には、樹脂製プレートに複数の透液孔４１を形成して、透液性を付与している。この支持体４０としては、透液性のものであれば特に限定するものではなく、例えば透液性の不織布等を用いてもよい。
【００４５】
スペース１５には、弁体３０が厚さ方向に移動可能に支持されている。弁体３０は、第２弁孔２４から第１弁孔２３に向かって延びる柱状を有している。弁体３０は、第１弁孔２３であって弁座部２５の径よりも小さい小径部３３と、弁座部２５の径よりも大きく、小径部３３よりも収容体１０内部側に位置する大径部３５と、これら小径部３３と大径部３５との間にあって、弁座部２５に接触可能な接触部３４とを含む。接触部３４は、弁座部２５に対して水密に接触可能としている。接触部３４が、弁座部２５に対して水密に接触可能とするために、例えばポリウレタン等の柔軟性を有する樹脂によって形成されることが望ましい。このような弁体３０は、収容体１０内部側に位置する平面な底部３６を含む。
【００４６】
上記のような弁体３０は、体液よりも比重が小さいものを用いている。したがって、収容体１０内部に体液が溜まったときには、体液から弁体３０が浮上可能である。弁体３０の接触部３４から底部３６までの高さ寸法ｈ１は、第２弁孔２４で形成されるスペーサ５０の高さ寸法ｈ２、すなわち弁座部２５から支持体４０までの高さ寸法よりも小さくなるようにしている。したがって、図１２に示したように、支持体４０を下方に、弁体３０を上方に位置させたときには、弁体３０の接触部３４は、弁座部２５から離間し、弁体３０の底部３６が支持体４０に接触して載置される。
【００４７】
弁座体２１は、好ましくは開口部１１の形状を保持可能な程度の硬度を有する樹脂等によって形成される。ここで、開口部１１の形状を保持可能な程度の硬度とは、弁座体２１に着用者の体圧が作用しても、少なくとも第１および第２弁孔２３，２４の形状が維持される程度ものをいう。第１および第２弁孔２３，２４の形状を維持することによって、弁体３０と弁座部２５とが接触したときに隙間を形成されにくく、水密な接触を可能とする。
【００４８】
上記のような体液処理用品１において、図１２に示した状態では、弁体３０が弁座部２５から離間しているから、第１弁孔２３に向かって尿等の体液が排泄されると、これが弁体３０の小径部３３の周囲を通って、支持体４０の透液孔４１を介して収容体１０内部に収容される。
【００４９】
図１２に示した状態から、図１３に示したように、体液処理用品１が倒れた状態になった場合には、体液が支持体４０の透液孔４１を介して弁体３０の底部３６に到達し、この体液によって弁体３０が収容体１０外部側に押圧される。また、弁体３０は、比重が体液よりも小さいことによって体液から浮上するように作用するから、この浮上によっても収容体１０外部側に押圧される。弁体３０が収容体１０外部側へと押圧されると、接触部３４が弁座部２５に接触する。弁体３０は、柔軟性を有するので、水密に弁座部２５に接触可能であり、体液が収容体１０内部から外部へと流出するのを防止することができる。
また、収容体１０がさかさまになった場合には、弁体３０の底部３６が尿によって押圧されるとともに、収容体１０の自重によって接触部３４を弁座部２５に接触させ、体液が収容体１０外部に流出するのを防止することができる。
【００５０】
上記のような体液処理用品１において、図１２に示したように、小径部３３の先端から接触部３４までの高さ寸法ｈ３は、第１弁孔２３の高さ寸法ｈ４よりも短くすることが好ましい。このような寸法関係にすることで、弁体３０の接触部３４が弁座部２５に接触した場合であっても、その先端が第１弁孔２３から突出することがなく、弁体３０の先端が着用者の肌に接触して肌トラブルを引き起こすのを防止することができる。また、弁体３０を、柔軟性のある樹脂製にしているので、仮に弁体３０が着用者に接触した場合であっても、その衝撃を緩和することができる。
上記のような体液処理用品１は、例えば、実施例１に示した着用物品に取り付けて使用することができる。
【００５１】
弁座体２１と支持体４０とは、それぞれ別々の部材によって形成されて接合されることとしているが、これらが一体化されて形成されていてもよい。弁座体２１および支持体４０が一体化されて形成される場合には、これらが同一の材料で形成される単一体とすることもできる。
【実施例４】
【００５２】
図１４は、この発明の実施例４を示したものであり、体液処理用品１の部分平面図であって、説明のためにその一部を破断させたものである。この実施例４では、体液処理用品１は、大きさの異なる開口部を形成し、異なる作用機構を有する複数種類の逆流防止手段を備えることを特徴とする。この特徴以外の他の構成要素については、実施例１および２と同様であり、同様の構成要素については、詳細な説明を省略する。
【００５３】
収容体１０を形成する第１シート１２には、第１の開口部１１ａが形成されるとともに、開口部１１ａに対応する第１の逆流防止手段が形成されている。第１の逆流防止手段は、第１の開口部１１ａに対向して取り付けられたプラスチックフィルム等のシート状の弁体３０ａと、弁体３０ａと第１シート１２とを互いに接合する接合部２６とを含む。弁体３０ａと第１シート１２とは、加熱・加圧によって熱溶着され接合部２６を形成することができる。また、ホットメルト接着剤等によっても接合部２６を形成することができる。
【００５４】
接合部２６は、弁体３０ａと第１シート１２との積層部分であって、開口部１１ａの周縁に沿って全域に形成されている。接合部２６は、開口部１１ａの縁からその外周側に向かって線状に延びるとともに、Ｖ字型を有している。具体的には、接合部２６の内端２６ａでは、二本の接合線が互いに接触し、外端２６ｂでは、それらが互いに離間している。隣接する接合部２６の間には体液が収容体１０内に流入可能する通路２７が形成される。なお、接合部２６は、二本の接合線の内端２６ａが接するようにされているが、必ずしもこれらが接する必要はなく、離間していてもよい。ただし、そのような場合であっても、内端２６ａが互いに接近するように傾斜していることが好ましい。
【００５５】
弁体３０ａには、第２の開口部１１ｂが複数形成されるとともに、これら開口部１１ｂに対応する第２の逆流防止手段が形成されている。第２の逆流防止手段は、開口部１１ｂに対応するとともに、第１シート１２の収容体１０内部側に位置し尿等の体液よりも比重が小さい平板状の弁体３０ｂと、弁体３０ｂが収容体１０内部に脱落するのを防止するシート状の支持体４０と、第１シート１２と支持体４０との間に介在するスペーサ５０とを含む。弁体３０ｂは、弁体３０ａの内面に接触可能であり、このように接触することによって、開口部１１ｂを塞ぐことができる。支持体４０およびスペーサ５０は、第１の実施例と同様である。
【００５６】
このような体液処理用品１に、尿などの体液が排泄されると、体液は、第１の開口部１１ａと、第２の開口部１１ｂとの双方から収容体１０内へと流入可能となる。すなわち、第１の開口部１１ａでは、体液の重量で第１シート１２と弁体３０ａとが離間され、接合部２６の間に複数の通路２７が形成される。体液は、この通路２７を介して収容体１０へと流入される。通路２７は、開口部１１ａの周囲全域に亘って形成されているから、着用者の体勢等にかかわらず、体液を収容体１０内へと収容することができる。
【００５７】
第２の開口部１１ｂでは、体液の重量で弁体３０ｂが支持体４０側に向かって押し下げられ、弁体３０ｂと弁体３０ａとが離間し、体液が弁体３０ｂの周囲を通って収容体１０内へと流入する。仮に、第２の開口部１１ｂに収容されず、第１の弁体３０ａ上に体液が残ってしまったとしても、この体液は第２の開口部１１ｂの周囲に形成された第１の開口部１１ａによって収容体１０内部へと流入可能である。このように大きさの異なる開口部１１ａ,１１ｂを形成することによって、収容体１０内部へと体液を確実に流入させることができる。
【００５８】
体液が収容体１０内に保持された状態から、収容体１０がさかさまになったような場合では、体液が開口部１１に向かって移動し、第２の弁体３０ｂは、支持体４０を透過した体液に押圧されて、第１の弁体３０ａ側に移動する。弁体３０ｂが、体液に押圧されて弁体３０ａに水密に接触可能であり、これによって体液の収容体１０外部への流出を防止することができる。
【００５９】
収容体１０内部側から外部側へと、第１の開口部１１ａを介して体液が流出しようとした場合には、通路２７は、接合部２６の外端２６ｂによって流路が狭くされているから、その流出が妨げられる。また、弁体３０ａと第１シート１２の間に僅かに残った体液によって、これらシートが互いに密着し、流路が閉じられるので、より一層体液の流出を防止することができる。上記のように、異なる作用機構を有する複数種類の逆流防止手段を形成することとしたので、それぞれの特性に応じた逆流防止の効果を発揮することができる。
【００６０】
上記複数種類の逆流防止手段を形成する場合には、この実施例のタイプに限られることなく、さまざまな組み合わせが可能である。また、大きさの異なる開口部を形成することとしているが、逆流防止手段の選択によって、これも種々の組み合わせが考えられる。
【符号の説明】
【００６１】
１  体液処理用品
２  おむつ（着用物品）
１０  収容体
１１  開口部
１１ａ  開口部
１１ｂ  開口部
１４  弁座部
１５  スペース
２０  逆流防止手段
２５  弁座部
２６  接合部
２７  通路
３０  弁体
３０ａ  弁体
３０ｂ  弁体
３３  小径部
３４  接触部
３５  大径部
４０  支持体
５０  スペーサ
６０  シャーシ
６１  前ウエスト域
６２  後ウエスト域
６３  クロッチ域
６９  シャーシ開口
７０  吸液構造体
７４  吸液開口
【図１】
2010246889.tif 000003
【図２】
2010246889.tif 000004
【図３】
2010246889.tif 000005
【図４】
2010246889.tif 000006
【図５】
2010246889.tif 000007
【図６】
2010246889.tif 000008
【図７】
2010246889.tif 000009
【図８】
2010246889.tif 000010
【図９】
2010246889.tif 000011
【図１０】
2010246889.tif 000012
【図１１】
2010246889.tif 000013
【図１２】
2010246889.tif 000014
【図１３】
2010246889.tif 000015
【図１４】
2010246889.tif 000016